(57)【特許請求の範囲】
【請求項１】
透析液供給装置と、該透析液供給装置に透析液供給路を介して接続された透析監視装置と、前記透析液供給装置および前記透析監視装置に接続された排水ラインとからなる透析排水処理システムであって、
前記透析液供給装置が、透析液を調製する透析液調製部と、前記透析液を前記透析監視装置に供給する透析液送出部と、前記透析液供給路を含む前記透析液の移動経路を洗浄する薬液を調製する薬液調製部と、前記薬液を前記透析液調製部および前記透析液送出部を介して前記透析監視装置に導入する薬液送出部を有し、
前記透析監視装置が、前記透析液によって透析患者の血液を浄化し、
前記排水ラインが、前記透析液供給装置および前記透析監視装置から、前記透析患者の血液を浄化した前記透析液を含む排液を収集し、
前記薬液が前記透析液供給路に導入される薬液導入タイミングから予め設定された設定時間を空けて、前記薬液を含む前記排液を所定範囲の水素イオン指数（ｐＨ）に中和する中和液を前記排水ラインに供給する透析排水処理装置をさらに備え、
前記透析液供給装置が、前記薬液の前記透析液供給路への導入の開始および停止を通知する洗浄動作信号を前記透析排水処理装置に送信すると共に、該透析排水処理装置から前記中和液の前記排水ラインへの供給の開始および停止を通知する中和動作信号を受信する透析液供給装置通信部を有し、前記中和動作信号に応じて、前記薬液の前記透析液供給路への導入の開始および停止を制御し、
前記透析排水処理装置が、前記中和動作信号を前記透析液供給装置に送信すると共に、該透析液供給装置から前記洗浄動作信号を受信する透析排水処理装置通信部を有し、前記洗浄動作信号に応じて、前記中和液の前記排水ラインへの供給の開始および停止を制御する透析排水処理システム。
【請求項２】
前記薬液が前記透析液供給路に導入されてから前記薬液を含む前記排液が前記排水ラインに排出されるまでの排出所要時間と、前記排水ラインに供給された前記中和液が前記薬液を含む前記排液と合流するまでの合流所要時間とに基づいて、前記設定時間が設定されていることを特徴とする請求項１に記載の透析排水処理システム。
【請求項３】
前記設定時間の経過後から、前記薬液が前記透析液供給路に導入されていた時間に対応する一定の時間間隔を更に空けて、前記透析排水処理装置が前記排水ラインへの前記中和液の供給を停止する中和液停止タイミングが設定されていることを特徴とする請求項２に記載の透析排水処理システム。
【請求項４】
前記透析液供給装置通信部が、前記薬液の前記透析監視装置における貯留の開始および停止を制御する貯留制御信号を前記透析監視装置に送信すると共に、前記貯留の開始および停止を通知する貯留動作信号を前記透析排水処理装置に送信し、
前記透析監視装置が、前記透析液供給装置から前記貯留制御信号を受信する透析監視装置通信部を有し、前記貯留制御信号に応じて、前記貯留の開始および停止を制御し、
前記透析排水処理装置が、前記透析排水処理装置通信部を通じて前記貯留動作信号を受信し、該貯留動作信号に応じて、前記中和液の前記排水ラインへの供給の開始および停止を制御することを特徴とする請求項１に記載の透析排水処理システム。
【請求項５】
前記透析排水処理装置が、前記中和液を前記排水ラインに供給する量を段階的に増減させることを特徴とする請求項１から４のいずれか１項に記載の透析排水処理システム。
【発明の詳細な説明】
【技術分野】
【０００１】
本発明は、透析排水処理システムに関し、より詳しくは、透析装置の洗浄時に排出される薬液を含む排液を排水ライン上で中和する透析排水処理システムに関する。
【背景技術】
【０００２】
腎臓の機能が低下した患者が透析療法、特に透析装置を介した血液透析を受ける病院、診療所等の透析施設においては、透析装置の除菌、洗浄等が定期的になされる。
これは、使用済みの透析液には、患者の血液中の老廃物や余分な水分、電解質が含まれるため、透析液の移動経路となる装置内配管や透析膜等にタンパク質や細菌等の汚染物質が付着して、透析膜が透析機能を低下させたり、透析膜を介して患者の血液が細菌などで汚染されるおそれがあるためである。また、血中濃度を調整するために透析液に含まれるカルシウムが透析装置内に沈着して、透析装置の誤作動を引き起こすおそれがあるためである。
こうした透析装置の除菌、洗浄等には、塩酸、酢酸等の酸水溶液や、次亜塩素酸ナトリウム等のアルカリ水溶液が用いられる。
【０００３】
ところで、昨今、透析施設から下水道に流された透析排水が、著しく下水道基準を逸脱した酸性排水であったため、コンクリート製の下水道管が損傷する事件が発生したことを受け、関係３団体（日本透析医学会、日本透析医会、日本臨床工学技士会）により、透析排水基準が策定されるに至っている。
この透析排水基準（２０１９年版）によると、透析排水の水素イオン指数（ｐＨ）は、５を超え９未満となることが定められている。
【０００４】
また、上記の透析排水基準が策定される以前から、透析装置の洗浄、消毒に用いられ、酸性またはアルカリ性に傾いている廃液を下水道に流す前に中和処理する装置が開発されている。
特許文献１に記載されている中和処理装置は、酸性廃液専用の酸性貯液槽と、アルカリ性廃液専用のアルカリ性貯液槽とを備えることで、酸性廃液を受け入れる貯液槽とアルカリ性廃液を受け入れる貯液槽が同じであることにより有毒の塩素ガスが発生する危険を回避するものである。
【０００５】
特許文献２に記載されている人工透析装置の洗浄廃液処理ユニットは、酸性洗浄液やアルカリ性洗浄液で人工透析装置を洗浄し、流入口から流入した廃液を、固形中和剤が充填された中和剤充填ケースが設けられた縦流路部と横流路部とが交互に繰り返すことで上下に蛇行するように構成された液体流路を通って、流出口まで流動させることで、排液を固形中和剤に接触しやすくして、中和処理するものである。
特許文献３に記載されている中和処理装置は、水に溶解して酸性またはアルカリ性を呈する粒状物からなる中和剤が充填された簀子板の上に、透析機器の洗浄排水を散水して流下させて、中和処理するものである。
特許文献４に記載されている排水処理装置は、酢酸による洗浄を採用した場合に生じる酸洗浄排水を、破砕石灰石を充填した縦型筒状容器を複数個直列に連結してなる中和処理装置内に送液して、中和処理するものである。
【先行技術文献】
【特許文献】
【０００６】
【特許文献１】特開２００５−２１９０４１号公報
【特許文献２】特開２００８−３０２０５７号公報
【特許文献３】特開２００６−１８７６８３号公報
【特許文献４】特開２００１−３２１７８２号公報
【発明の概要】
【発明が解決しようとする課題】
【０００７】
しかしながら、特許文献１に記載されている中和処理装置のように、透析終了後の消毒、洗浄で発生する酸性廃液またはアルカリ性廃液を一旦受け入れる貯液槽をメイン排水本管（排水ライン）の末端に設ける構成とすると、この貯液槽を含む中和処理装置の設置に一定のスペースを要する。透析施設は、特に都市部ではビルの一室に入居する診療所にあることが多いため、このようなスペースを十分に確保することが難しい。
また、特許文献２−４に記載されている中和処理装置のように、固形中和剤を用いて中和処理する構成とした場合には、充填された固形中和剤に汚染物質が次第に付着、堆積して目詰まりを起こすため、固形中和剤を定期的に交換する等のメンテナンス作業が必要となる。
【０００８】
本発明の透析排水処理システムは、これらの実情に鑑みてなされたものであり、透析装置の洗浄時に排出される薬液を含む排液を排水ライン上で中和する透析排水処理システムを提供することを目的とする。
【０００９】
上記課題を解決するために、請求項１の発明は、透析液供給装置と、該透析液供給装置に透析液供給路を介して接続された透析監視装置と、前記透析液供給装置および前記透析監視装置に接続された排水ラインとからなる透析排水処理システムであって、前記透析液供給装置が、透析液を調製する透析液調製部と、前記透析液を前記透析監視装置に供給する透析液送出部と、前記透析液供給路を含む前記透析液の移動経路を洗浄する薬液を調製する薬液調製部と、前記薬液を前記透析液調製部および前記透析液送出部を介して前記透析監視装置に導入する薬液送出部を有し、前記透析監視装置が、前記透析液によって透析患者の血液を浄化し、前記排水ラインが、前記透析液供給装置および前記透析監視装置から、前記透析患者の血液を浄化した前記透析液を含む排液を収集し、前記薬液が前記透析液供給路に導入される薬液導入タイミングから予め設定された設定時間を空けて、前記薬液を含む前記排液を所定範囲の水素イオン指数（ｐＨ）に中和する中和液を前記排水ラインに供給する透析排水処理装置をさらに備え、前記透析液供給装置が、前記薬液の前記透析液供給路への導入の開始および停止を通知する洗浄動作信号を前記透析排水処理装置に送信すると共に、該透析排水処理装置から前記中和液の前記排水ラインへの供給の開始および停止を通知する中和動作信号を受信する透析液供給装置通信部を有し、前記中和動作信号に応じて、前記薬液の前記透析液供給路への導入の開始および停止を制御し、前記透析排水処理装置が、前記中和動作信号を前記透析液供給装置に送信すると共に、該透析液供給装置から前記洗浄動作信号を受信する透析排水処理装置通信部を有し、前記洗浄動作信号に応じて、前記中和液の前記排水ラインへの供給の開始および停止を制御することを特徴とするものである。
【００１０】
請求項２の発明は、請求項１の発明において、前記薬液が前記透析液供給路に導入されてから前記薬液を含む前記排液が前記排水ラインに排出されるまでの排出所要時間と、前記排水ラインに供給された前記中和液が前記薬液を含む前記排液と合流するまでの合流所要時間とに基づいて、前記設定時間が設定されていることを特徴とするものである。
【００１１】
請求項３の発明は、請求項２の発明において、前記設定時間の経過後から、前記薬液が前記透析液供給路に導入されていた時間に対応する一定の時間間隔を更に空けて、前記透析排水処理装置が前記排水ラインへの前記中和液の供給を停止する中和液停止タイミングが設定されていることを特徴とするものである。
【００１３】
請求項４の発明は、請求項１の発明において、前記透析液供給装置通信部が、前記薬液の前記透析監視装置における貯留の開始および停止を制御する貯留制御信号を前記透析監視装置に送信すると共に、前記貯留の開始および停止を通知する貯留動作信号を前記透析排水処理装置に送信し、前記透析監視装置が、前記透析液供給装置から前記貯留制御信号を受信する透析監視装置通信部を有し、前記貯留制御信号に応じて、前記貯留の開始および停止を制御し、前記透析排水処理装置が、前記透析排水処理装置通信部を通じて前記貯留動作信号を受信し、該貯留動作信号に応じて、前記中和液の前記排水ラインへの供給の開始および停止を制御することを特徴とするものである。
【００１４】
請求項５の発明は、請求項１から４のいずれか１項の発明において、前記透析排水処理装置が、前記中和液を前記排水ラインに供給する量を段階的に増減させることを特徴とするものである。
【発明の効果】
【００１５】
本発明の透析排水処理システムによれば、中和液を排水ラインに直接供給することにより、排水ラインの末端に排液を一旦貯める中和用のタンクを設置する必要がなくなるため、透析施設の省スペース化を図り、また、中和処理を行う作業者の負担を軽減することができる。
また、本発明の透析排水処理システムによれば、薬液の透析液供給路への導入の開始および停止のタイミングを、中和液の排水ラインへの供給の開始および停止を知らせる中和動作信号を受信して決定することにより、また、中和液の排水ラインへの供給の開始および停止のタイミングを、薬液の透析液供給路への導入の開始および停止を知らせる洗浄動作信号を受信して決定することにより、薬液の透析液供給路への導入および中和液の排水ラインへの供給について、特定の開始時間および停止時間を事前に設定することを要しないため、設定時間に基づいて、自動的かつ任意に、薬液の透析液供給路への導入の開始および停止、ならびに、中和液の排水ラインへの供給の開始および停止を実行することができる。
【００１６】
また、請求項２に係る発明の透析排水処理システムによれば、請求項１に記載の透析排水処理システムが奏する効果に加えて、中和液を排水ラインに供給するタイミングを事前に計測された時間に基づいて設定することにより、処理の度毎に中和液の供給タイミングを調整する必要がなくなるため、安定的かつ着実に排液を処理することができる。
【００１７】
請求項３に係る発明の透析排水処理システムによれば、請求項２に記載の透析排水処理システムが奏する効果に加えて、中和液が排水ラインに供給されるのを停止するタイミングを、薬液が透析液供給路に導入されていた経過時間を基に設定することにより、薬液を最早含まない排液に中和液が供給され続けることがなくなるため、中和液の無駄な消費をなくし、また、中和液によって排液の水素イオン指数（ｐＨ）が所定の範囲外となるのを避けることができる。
【００１９】
請求項４に係る発明の透析排水処理システムによれば、請求項１に記載の透析排水処理システムが奏する効果に加えて、透析液供給装置が透析監視装置において薬液の貯留が開始および停止されたことを透析排水処理装置に通知することにより、この通知に応じて、透析排水処理装置が排水ラインへの中和液の供給の開始および停止を制御して、薬液の貯留が開始されると中和液の供給を停止し、薬液の貯留が停止されて薬液を含む排液が排水ラインに排出されると中和液の供給を開始するため、薬液が貯留されている間に中和液が供給されて無駄に消費されることなく、また、薬液を含む排液の排出が開始され次第、速やかに中和液を供給することができる。
【００２０】
請求項５に係る発明の透析排水処理システムによれば、請求項１から４のいずれか１項に記載の透析排水処理システムが奏する効果に加えて、中和液を排水ラインに供給する量を段階的に増減させることにより、中和液供給当初に急激に中和反応が進むのを抑えると共に、薬液洗浄後の水洗で薬液成分を減らしていく排液に応じた量の中和液を供給するため、有毒なガスの発生を妨げ、また、中和液の無駄な消費を抑えることができる。
【図面の簡単な説明】
【００２１】
【図１】本発明の一実施形態に係る透析排水処理システムの概要図である。
【図２】本発明の一実施形態に係る透析排水処理システムの機能的構成を示すブロック図である。
【図３】本発明の一実施形態に係る透析排水処理システムを構成する透析液供給装置による透析液の移動経路の洗浄パターンの一例である。
【図４】本発明の一実施形態に係る透析排水処理システムを構成する透析液供給装置による透析液の移動経路の洗浄パターンの別の一例である。
【図５】透析液供給装置による薬液洗浄開始以降の排水ライン末端における水素イオン指数（ｐＨ）の経時変化を示す参考図である。
【図６】本発明の一実施形態に係る透析排水処理システムを構成する透析排水処理装置が透析液供給装置による薬液洗浄開始と同時に中和液の供給を開始した際の排水ライン末端における水素イオン指数（ｐＨ）の経時変化を示す図である。
【図７Ａ】本発明の一実施形態に係る透析排水処理システムを構成する透析液供給装置による薬液洗浄（酸性洗浄液使用）において、透析排水処理装置による排水の中和処理の有無が排水ライン末端における水素イオン指数（ｐＨ）の経時変化に与える影響を示す図である。
【図７Ｂ】本発明の一実施形態に係る透析排水処理システムを構成する透析液供給装置による薬液洗浄（アルカリ性洗浄液使用）において、透析排水処理装置による排水の中和処理の有無が排水ライン末端における水素イオン指数（ｐＨ）の経時変化に与える影響を示す図である。
【発明を実施するための形態】
【００２２】
以下、図面を参照しながら、本発明の透析排水処理システムに係る好適な実施形態について説明する。
なお、以下の説明において、異なる図面においても同じ符号を付した構成は同様のものであるとして、その説明を省略する場合がある。
【００２３】
＜１．透析排水処理システムの概要＞
まず、本発明の一実施形態に係る透析排水処理システムの概要図である図１を用いて、本発明の一実施形態である透析排水処理システム１について説明する。
【００２４】
図１に示すように、透析排水処理システム１は、透析液供給装置１００と、透析液供給装置１００に透析液供給路Ｃを介して接続された透析監視装置２００と、透析液供給装置１００および透析監視装置２００に接続された排水ライン３００と、排水ライン３００に接続された透析排水処理装置４００とからなる。
透析監視装置２００には、ダイアライザー２３０が着脱交換自在に装着される。
透析患者Ｐは、ダイアライザー２３０を介して血液透析を受ける。
【００２５】
なお、図示するＲＯ水生成装置５００および透析液溶解装置６００は、図２に基づく説明で後述するように、透析排水処理システム１を構成しない。
ＲＯ水生成装置５００は、透析液供給装置１００にＲＯ水供給路Ａを介して接続されている。
透析液溶解装置６００は、ＲＯ水生成装置５００に別のＲＯ水供給路Ａを介して接続されると共に、透析液供給装置１００に透析原液供給路Ｂを介して接続されている。
【００２６】
＜２．透析排水処理システムの機能的構成＞
次に、本発明の一実施形態に係る透析排水処理システムの機能的構成を示すブロック図である図２を用いて、本発明の一実施形態である透析排水処理システム１の機能的構成について説明する。
【００２７】
上述のように、透析排水処理システム１は、透析液供給装置１００と、透析監視装置２００と、排水ライン３００と、透析排水処理装置４００とからなる。
まず、透析排水処理システム１を構成しない、ＲＯ水生成装置５００および透析液溶解装置６００についても言及しつつ、透析液の供給プロセスを順に追って、透析排水処理システム１の各構成について説明する。
【００２８】
＜２．１．ＲＯ水生成装置＞
ＲＯ水生成装置５００は、水道水等の原水から逆浸透（Ｒｅｖｅｒｓｅ Ｏｓｍｏｓｉｓ）法で不純物を除去し、透析液の調製に用いられる純度・洗浄度の高い水（ＲＯ水）を生成する装置である。
ＲＯ水生成装置５００は、生成したＲＯ水を、２系統のＲＯ水供給路Ａの一方を介して透析液供給装置１００に、他方を介して透析液溶解装置６００に供給する。
【００２９】
＜２．２．透析液溶解装置＞
透析液溶解装置６００は、粉末の透析剤であるＡ剤６０１およびＢ剤６０２を、其々、ＲＯ水で溶解して透析原液を作成する装置である。
透析液溶解装置６００は、作成した透析原液を、透析原液供給路Ｂを介して透析液供給装置１００に供給する。
【００３０】
本図では、便宜上、透析液溶解装置６００を１台の装置として、透析原液供給路Ｂを１本の経路として示すが、実際には、Ａ剤６０１をＲＯ水で溶解する装置と、Ｂ剤６０２をＲＯ水で溶解する装置とは別個に設けられる。
各装置で作成された透析原液は、Ａ液およびＢ液として、未だ混合されることなく、個別に透析液溶解装置６００に供給される。
なお、透析剤は、上述のような粉末としてのみならず、当初から液体、すなわち透析原液としても販売されており、液体の透析剤を使用する場合、透析液溶解装置６００を要しない。
【００３１】
＜２．３．透析液供給装置＞
透析液供給装置１００は、透析液調製部１１０と、透析液送出部１２０と、薬液調製部１３０と、薬液送出部１４０と、制御部１５０とからなる。
また、透析液供給装置１００は、ＲＯ水供給路Ａを介してＲＯ水生成装置５００に接続され、ＲＯ水の供給を受ける。
そして、透析液供給装置１００は、透析原液供給路Ｂを介して透析液溶解装置６００に接続され、透析原液の供給を受ける。
さらに、透析液供給装置１００は、薬液供給路Ｄを介して薬液タンク１６０と接続され、後述する薬液の供給を受ける。
【００３２】
透析液調製部１１０は、透析液溶解装置６００で作成された透析原液、すなわちＡ液およびＢ液を混合すると共に、ＲＯ水生成装置５００から供給されたＲＯ水で希釈して、透析液を調製する。
透析液送出部１２０は、ポンプ等により構成され、透析液調製部１１０で調製した透析液を、透析液供給路Ｃを通じて後述する透析監視装置２００に送り出す。
【００３３】
薬液調製部１３０は、薬液タンク１６０が貯蔵する、後述する２種の薬液（原液）を、ＲＯ水生成装置５００から供給されたＲＯ水で希釈して、特定の範囲の水素イオン指数（ｐＨ）の薬液を調製する。
薬液送出部１４０は、ポンプ等により構成され、薬液調製部１３０で調製した薬液を、透析液調製部１１０および透析液送出部１２０を介し、透析液供給路Ｃを通じて後述する透析監視装置２００に送り出す。
【００３４】
制御部１５０は、ＣＰＵ１５１と、メモリ１５２と、タイマー１５３と、通信部１５４とからなる。
【００３５】
ＣＰＵ１５１は、メモリ１５２に記憶されたプログラムを実行し、透析液調製部１１０、透析液送出部１２０、薬液調製部１３０および薬液送出部１４０に動作指令を発すると共に、タイマー１５３および通信部１５４を制御する。
メモリ１５２は、透析液調製部１１０、透析液送出部１２０、薬液調製部１３０および薬液送出部１４０に対する動作指令をプログラムとして記憶すると共に、この動作指令を、システム時刻および以下に述べるタイマー１５３が計測する経過時間に基づいて実行するためのタイムテーブルを記憶する。
【００３６】
タイマー１５３は、ＣＰＵ１５１によって制御され、上記のタイムテーブルに基づいて経過時間を計測する。
通信部（透析液供給装置通信部）１５４は、ＣＰＵ１５１によって制御され、薬液送出部１４０から透析液供給路Ｃへ薬液の導入が開始されたこと、および、停止されたことを通知する洗浄動作信号Ｆを、後述する透析排水処理装置４００の通信部（透析排水処理装置通信部）４２４に有線または無線で送信する。
また、通信部１５４は、後述する透析排水処理装置４００の中和液送出部４１０から排水ライン３００へ中和液の供給が開始されたこと、および、停止されたことを通知する中和動作信号Ｇを、後述する透析排水処理装置４００の通信部（透析排水処理装置通信部）４２４から有線または無線で受信する。
【００３７】
さらに、通信部１５４は、ＣＰＵ１５１によって制御され、後述する透析監視装置２００における薬液の貯留の開始および停止を制御する貯留制御信号Ｈを、後述する透析監視装置２００の通信部（透析監視装置通信部）２２３に有線または無線で送信すると共に、上記の薬液の貯留の開始および停止を通知する貯留動作信号Ｉを、後述する透析排水処理装置４００の通信部（透析排水処理装置通信部）４２４に有線または無線で送信する。
【００３８】
＜２．３．１．薬液タンク＞
薬液タンク１６０は、透析液供給路Ｃを含む、透析液の移動経路を洗浄する薬液を貯蔵する。
ここで、透析液の移動経路には、透析液供給装置１００の内部の配管や機器（すなわち、透析液調製部１１０および透析液送出部１２０）、および、後述する透析監視装置２００の内部の配管が含まれる。
【００３９】
薬液としては、例えば、酸性洗浄液１６１として希塩酸、酢酸または過酢酸を、アルカリ性洗浄液１６２として次亜塩素酸ナトリウムまたは次亜塩素酸ナトリウムを主成分とし更に防錆や下記のスケール除去のためにキレート剤等が添加された次亜系洗浄剤を用いることができる。
酸性洗浄液１６１は、主に装置内配管等の炭酸カルシウム等（いわゆるスケール）の除去（広義の「洗浄」に含まれる。）に用いられる。
アルカリ性洗浄液１６２は、主に装置内配管等のタンパク質の除去（狭義の「洗浄」に該当する。）に用いられる。以降、次亜塩素酸ナトリウムを単に「次亜」と、次亜系洗浄剤を単に「次亜系」とも称する。
【００４０】
なお、過酢酸、次亜塩素酸ナトリウムおよび次亜系洗浄剤は、除菌に用いることもできる。
また、別途、専用装置で希塩酸もしくは酢酸と次亜塩素酸ナトリウムを混合し、必要に応じてＲＯ水で希釈して、５．０〜７．０付近の弱酸性域の水素イオン指数（ｐＨ）に調整した弱酸性次亜塩素酸水溶液は、装置内配管等の除菌に用いられる。
【００４１】
薬液タンク１６０は、薬液供給路Ｄを介して、透析液供給装置１００と、より具体的には、薬液調製部１３０と接続されている。
なお、薬液タンク１６０および薬液供給路Ｄは、透析液供給装置１００の一部として構成されてもよい。
また、透析液供給装置１００の薬液調製部１３０、薬液送出部１４０および制御部１５０の一部に係る構成と薬液タンク１６０とを、透析液の移動経路の洗浄に係る別の専用装置とすることもできる。
この専用装置は、例えば、ＲＯ水生成装置５００と透析液供給装置１００とを接続するＲＯ水供給路Ａ上に設けられ、ＲＯ水の供給を受けると共に、調製した薬液を透析液供給装置１００に送り出す。
【００４２】
＜２．４．透析監視装置＞
透析監視装置２００は、透析患者Ｐに血液透析を行う際に、透析液流量、温度及び静脈圧等をモニタする装置である。
透析監視装置２００には、ダイアライザー２３０が着脱交換自在に装着される。
ダイアライザー２３０は、腎臓の糸球体と同じ働きをする一種の浄化器であり、透析患者Ｐの血液中の老廃物や余分な水分、電解質を、透析液供給装置１００から供給される透析液に移すとともに、透析液から不足している電解質などを透析患者Ｐの血液に補充する。
なお、本図では、透析監視装置２００を１台のみ示すが、実際には、透析監視装置２００は、透析施設の規模により、透析患者Ｐごとに複数台設置されている。
【００４３】
透析監視装置２００は、電磁弁機構２１０と、制御部２２０とを備えている。
また、透析監視装置２００は、透析液供給路Ｃを介して透析液供給装置１００に接続され、透析液の供給を受けると共に、透析液の移動経路を洗浄する薬液の供給を受ける。
そして、透析監視装置２００は、使用済みの透析液を、後述するように排液として排水ライン３００に排出する。
さらに、透析監視装置２００は、透析液の移動経路を洗浄した薬液を含む排液を、排水ライン３００に排出する。
【００４４】
電磁弁機構２１０は、透析監視装置２００の排水ライン３００との接続部に設けられ、装置内配管の透析液の移動経路の末端を開閉して、透析監視装置２００における薬液等の貯留の開始および停止を切り替える。
【００４５】
制御部２２０は、ＣＰＵ２２１と、メモリ２２２と、通信部２２３とからなる。
【００４６】
ＣＰＵ２２１は、メモリ２２２に記憶されたプログラムを実行し、電磁弁機構２１０に動作指令を発すると共に、通信部２２３を制御する。
メモリ２２２は、電磁弁機構２１０に対する動作指令をプログラムとして記憶する。
【００４７】
通信部（透析監視装置通信部）２２３は、ＣＰＵ２２１によって制御され、透析監視装置２００において薬液等の貯留の開始および停止を制御する貯留制御信号Ｈを、透析液供給装置１００の通信部（透析液供給装置通信部）１５４から有線または無線で受信する。
【００４８】
透析監視装置２００による血液透析は、以下のようにして行われる。
まず、透析患者Ｐの腕の血管に、すなわち動脈側の血液を取る側（脱血）と静脈側の血液を返す側（返血）とに２本の針を刺し、各血管と筒状のダイアライザー２３０の各端部との間をチューブでつなぐ。
そして、動脈側のチューブの途中に設けられた図示しない血液ポンプにより、透析患者Ｐの体内から血液（浄化前血液）を取り出し、ダイアライザー２３０の一端に送る。
【００４９】
ダイアライザー２３０は、ストロー状の透析膜の束を有し、透析膜の外側には透析液が流れている。
ダイアライザー２３０の一端に入った血液は、この透析膜の内側を流れ、透析液により浄化された後、ダイアライザー２３０の他端から出る。
最後に、ダイアライザー２３０の他端から出た血液（浄化後血液）は、静脈側のチューブを通じて、透析患者Ｐの体内に戻される。
この一連の流れが循環して行われ、透析患者Ｐの血液中の老廃物や余分な水分、電解質を含む使用済みの透析液は、排液として排水ライン３００に排出される。
なお、１回の血液透析にかかる時間は、約４〜５時間であり、血液透析は、一般に週３回行われる。
【００５０】
＜２．５．透析排水処理装置＞
透析排水処理装置４００は、中和液送出部４１０と、制御部４２０とからなる。
また、透析排水処理装置４００は、中和液供給路Ｅを介して中和液タンク４３０と接続され、後述する中和液の供給を受ける。
【００５１】
中和液送出部４１０は、ポンプ等により構成され、中和液タンク４３０から供給される２種の中和液のいずれかを排水ライン３００に送り出す。
なお、中和液送出部４１０が中和液を排水ライン３００に供給する位置は、図上、排水ライン３００の末端付近に設定されているが、透析監視装置２００からの排液が排出される位置よりも、あるいは、更に透析液供給装置１００からの排液が排出される位置よりも上流に、すなわちＲＯ水生成装置５００により近い位置に設定されてもよい。
【００５２】
制御部４２０は、ＣＰＵ４２１と、メモリ４２２と、タイマー４２３と、通信部４２４とからなる。
【００５３】
ＣＰＵ４２１は、メモリ４２２に記憶されたプログラムを実行し、中和液送出部４１０に動作指令を発すると共に、タイマー４２３および通信部４２４を制御する。
メモリ４２２は、中和液送出部４１０に対する動作指令をプログラムとして記憶すると共に、この動作指令を、システム時刻および以下に述べるタイマー４２３が計測する経過時間に基づいて実行するためのタイムテーブルを記憶する。
【００５４】
タイマー４２３は、ＣＰＵ４２１によって制御され、上記のタイムテーブルに基づいて経過時間を計測する。
通信部（透析排水処理装置通信部）４２４は、ＣＰＵ４２１によって制御され、透析液供給装置１００の薬液送出部１４０から透析液供給路Ｃへ薬液の導入が開始されたこと、および、停止されたことを通知する洗浄動作信号Ｆを、透析液供給装置１００の通信部（透析液供給装置通信部）１５４から有線または無線で受信する。
また、通信部４２４は、中和液送出部４１０から排水ライン３００へ中和液の供給が開始されたこと、および、停止されたことを通知する中和動作信号Ｇを、透析液供給装置１００の通信部（透析液供給装置通信部）１５４に有線または無線で送信する。
【００５５】
さらに、通信部４２４は、透析監視装置２００における薬液の貯留の開始および停止を通知する貯留動作信号Ｉを、透析液供給装置１００の通信部（透析液供給装置通信部）１５４から有線または無線で受信する。
【００５６】
＜２．５．１．中和液タンク＞
中和液タンク４３０は、上記の透析液の移動経路を洗浄する薬液を含む排液を、所定範囲の水素イオン指数（ｐＨ）に中和する中和液を貯蔵する。
この排液には、透析液供給装置１００から排水ライン３００に排出される余剰のＲＯ水、および、透析監視装置２００から排水ライン３００に排出される透析患者Ｐの血液を浄化した透析液が含まれる。
【００５７】
中和液としては、酸性洗浄液１６１およびアルカリ性洗浄液１６２を其々中和する、２種の液体の中和剤が用いられる。
すなわち、排水ライン３００に排出された排液が、酸性洗浄液１６１を含むものであるときはアルカリ剤４３２が、アルカリ性洗浄液１６２を含むものであるときは酸剤４３１が用いられる。
【００５８】
中和液タンク４３０は、中和液供給路Ｅを介して、透析排水処理装置４００の中和液送出部４１０と接続されている。
なお、中和液タンク４３０および中和液供給路Ｅは、透析排水処理装置４００の一部として構成されてもよい。
【００５９】
＜３．透析液供給装置による透析液の移動経路の洗浄パターン（その１）＞
次に、本発明の一実施形態に係る透析排水処理システムを構成する透析液供給装置による透析液の移動経路の洗浄パターンの一例である図３を用いて、透析液供給装置１００による透析液の移動経路の洗浄パターンおよび併せて行われる透析排水処理装置４００による排水の中和処理について説明する。
【００６０】
以下、透析液供給装置１００による透析液の移動経路の洗浄パターンとして、酸性洗浄液１６１として酢酸を、アルカリ性洗浄剤１６２として次亜塩素酸ナトリウム（「次亜」）を薬液に用いる場合の各パターンについて述べる。
ここで、透析施設は、例えば、１週間中、昼休みを挟んで朝と夜に週３日ほど、残りの日は朝のみ、透析患者Ｐに血液透析を実施する。
【００６１】
そして、この１週間において、透析液供給装置１００が、使用済みの透析装置（透析液供給装置１００および透析監視装置２００）、および、透析液供給路Ｃを含む透析液の移動経路に対して、以下に述べる「洗浄（兼除菌）」を週４日（例えば、月・水・金・土）、「洗浄（兼除菌）」および「スケール除去」の両方を週２日（例えば、火・木）行う洗浄プログラムが想定される。
以下に述べる洗浄パターンは、このような洗浄プログラムの下で行われるものの一例である。
【００６２】
各洗浄パターンにおいては、左から右に向かって、各洗浄パターンに含まれるイベントの流れを時系列に示す。
また、各洗浄パターンの直下に、其々の上記イベントの流れと並行して、透析排水処理装置４００から排水ライン３００に供給される中和液の量の経時的変化を示す。ここで、中和液の量の増減は、垂直方向の変化として示す。
【００６３】
＜３．１．洗浄（兼除菌）＞
「洗浄」とは、透析液の移動経路におけるタンパク質を除去することを意味する。
また、「除菌」とは、透析液の移動経路における細菌等の有害微生物を除去することを意味する。
まず、透析液供給装置１００は、血液透析（「透析」）の終了後に、ＲＯ水生成装置５００から供給されるＲＯ水を用いて、６０分の間、透析液の移動経路を下洗い（「水洗」）する。
【００６４】
次に、透析液供給装置１００は、アルカリ性洗浄液１６２である次亜塩素酸ナトリウム（「次亜」）を用いて、４０分の間、透析液の移動経路を洗浄し、かつ、除菌する。
その後、透析液供給装置１００は、ＲＯ水生成装置５００から供給されるＲＯ水を、６０分の間、透析液の移動経路に導入する（「水洗」）。
【００６５】
透析排水処理装置４００は、上述のアルカリ性洗浄液１６２（「次亜」）による洗浄（兼除菌）の開始にあわせて、中和液（酸剤４３１）の排水ライン３００への供給を開始する。
また、透析排水処理装置４００は、供給する中和液（酸剤４３１）の量を段階的に増やして、透析液の移動経路を洗浄（兼除菌）したアルカリ性洗浄液１６２を含む排液を中和するために必要な一定量にまで達した後、暫く、同量による供給を継続する。
そして、透析排水処理装置４００は、アルカリ性洗浄液１６２（「次亜」）による洗浄（兼除菌）の終了後、「水洗」が開始されると、今度は供給する中和液（酸剤４３１）の量を段階的に減らしていき、最終的に供給量をゼロとする。
【００６６】
さらに、次の血液透析が再開されるまでの間、透析監視装置２００の装置内配管を含む透析液の移動経路にＲＯ水が貯留される（「貯留」）。
透析監視装置２００において、薬液の貯留の開始および停止は、通信部（透析監視装置通信部）２２３が貯留制御信号Ｈを受信することで行われる。  
【００６７】
血液透析の再開に先立って、透析液供給装置１００は、ＲＯ水生成装置５００から供給されるＲＯ水を用いて、ＲＯ水が貯留されていた透析液の移動経路を６０分の間、下洗い（「水洗」）し、次の２０分の間に、ＲＯ水を透析液で置換する（「液置換」）。
そして、次の血液透析（「透析」）が再開される。
【００６８】
本発明の一実施形態に係る透析排水処理システム１において、薬液の透析液供給路Ｃへの導入を開始する「薬液導入タイミング」に対応するのは、本洗浄パターンの「次亜」による洗浄（兼除菌）の４０分間の開始点であり、図上、Ｔ１−１で示す。
また、本発明の一実施形態に係る透析排水処理システム１において、薬液の透析液供給路Ｃへの導入を停止する「薬液停止タイミング」に対応するのは、本洗浄パターンの「次亜」による洗浄（兼除菌）の４０分間の終了点であり、図上、Ｔ１−２で示す。
【００６９】
＜３．２．スケール除去および洗浄（兼除菌）＞
「スケール除去」とは、透析液の移動経路における炭酸カルシウム等（いわゆるスケール）を除去することを意味する。
ここで、「スケール除去」は、広義の「洗浄」に含まれるが、ここでは、上述のタンパク質の除去（狭義の「洗浄」）と区別して、「スケール除去」と呼ぶ。
本洗浄パターンの最初の「透析」および「水洗」の説明は、上述の通りであるので省略する。
【００７０】
次に、透析液供給装置１００は、酸性洗浄液１６１である酢酸（「酢酸」）を用いて、４０分の間、透析液の移動経路を洗浄する。以降、酸性洗浄液１６１（「酢酸」）による洗浄は、上述の「スケール除去」を指す。
その後、透析液供給装置１００は、ＲＯ水生成装置５００から供給されるＲＯ水を、６０分の間、透析液の移動経路に導入する。
【００７１】
透析排水処理装置４００は、上述の酸性洗浄液１６１（「酢酸」）による洗浄の開始にあわせて、中和液（アルカリ剤４３２）の排水ライン３００への供給を開始する。
また、透析排水処理装置４００は、供給する中和液（アルカリ剤４３２）の量を段階的に増やして、透析液の移動経路を洗浄した酸性洗浄液１６１を含む排液を中和するために必要な一定量にまで達した後、暫く、同量による供給を継続する。
そして、透析排水処理装置４００は、酸性洗浄液１６１（「酢酸」）による洗浄の終了後、「水洗」が開始されると、今度は供給する中和液（アルカリ剤４３２）の量を段階的に減らしていき、最終的に供給量をゼロとする。
【００７２】
以降の「次亜」および「水洗」ならびに「貯留」、「水洗」、「液置換」および「透析」の説明は、上述の通りであるので省略する。
【００７３】
本発明の一実施形態に係る透析排水処理システム１における「薬液導入タイミング」に対応するのは、本洗浄パターンの「酢酸」によるスケール除去の４０分間の開始点および「次亜」による洗浄（兼除菌）の４０分間の開始点であり、其々、図上、Ｔ２−１、Ｔ２−３で示す。
また、本発明の一実施形態に係る透析排水処理システム１において、薬液の透析液供給路Ｃへの導入を停止する「薬液停止タイミング」に対応するのは、本洗浄パターンの「酢酸」によるスケール除去の４０分間の終了点および「次亜」による洗浄（兼除菌）の４０分間の終了点であり、其々、図上、Ｔ２−２、Ｔ２−４で示す。
【００７４】
＜４．透析液供給装置による透析液の移動経路の洗浄パターン（その２）＞
次に、本発明の一実施形態に係る透析排水処理システムを構成する透析液供給装置による透析液の移動経路の洗浄パターンの別の一例である図４を用いて、透析液供給装置１００による透析液の移動経路の洗浄パターンおよび併せて行われる透析排水処理装置４００による排水の中和処理について説明する。
【００７５】
以下、透析液供給装置１００による透析液の移動経路の洗浄パターンとして、酸性洗浄液１６１として過酢酸を、アルカリ性洗浄剤１６２として上述の次亜系洗浄剤（「次亜系」）を薬液に用いる場合の各パターンについて述べる。
ここで、透析施設は、例えば、１週間中、昼休みを挟んで朝と夜に週３日ほど、残りの日は朝のみ、透析患者Ｐに血液透析を実施する。
【００７６】
そして、この１週間において、透析液供給装置１００が、使用済みの透析装置（透析液供給装置１００および透析監視装置２００）、および、透析液供給路Ｃを含む透析液の移動経路に対して、以下に述べる「洗浄」を週３日（例えば、月・水・金）、「スケール除去（兼除菌）」を週３日（例えば、火・木・土）行う洗浄プログラムが想定される。
以下に述べる洗浄パターンは、このような洗浄プログラムの下で行われるものの一例である。
【００７７】
各洗浄パターンにおいては、左から右に向かって、各洗浄パターンに含まれるイベントの流れを時系列に示す。
また、各洗浄パターンの直下に、其々の上記イベントの流れと並行して、透析排水処理装置４００から排水ライン３００に供給される中和液の量の経時的変化を示す。ここで、中和液の量の増減は、垂直方向の変化として示す。
【００７８】
＜４．１．洗浄（兼除菌）＞
「洗浄」および「除菌」の説明は、上述の通りであるので省略する。
まず、透析液供給装置１００は、血液透析（「透析」）の終了後に、ＲＯ水生成装置５００から供給されるＲＯ水を用いて、６０分の間、透析液の移動経路を下洗い（「水洗」）する。
【００７９】
次に、透析液供給装置１００は、アルカリ性洗浄液１６２である次亜系洗浄剤（「次亜系」）を用いて、４０分の間、透析液の移動経路を洗浄し、かつ、除菌する。
【００８０】
透析排水処理装置４００は、このアルカリ性洗浄液１６２（「次亜系」）による洗浄（兼除菌）の開始にあわせて、中和液（酸剤４３１）の排水ライン３００への供給を開始する。
また、透析排水処理装置４００は、供給する中和液（酸剤４３１）の量を段階的に増やして、透析液の移動経路を洗浄（兼除菌）したアルカリ性洗浄液１６２を含む排液を中和するために必要な一定量にまで達した後、暫く、同量による供給を継続する。
そして、透析排水処理装置４００は、アルカリ性洗浄液１６２（「次亜系」）による洗浄（兼除菌）の終了にあわせて、供給する中和液（酸剤４３１）の量をゼロとする。
【００８１】
さらに、次の血液透析が再開される前に、一定時間、透析監視装置２００の装置内配管を含む透析液の移動経路に、アルカリ性洗浄液１６２（「次亜系」）が貯留される（「貯留」）。
ここで、透析監視装置２００において、薬液の貯留の開始および停止は、通信部（透析監視装置通信部）２２３が貯留制御信号Ｈを受信することで行われる。
【００８２】
また、血液透析の再開に先立って、透析監視装置２００が、透析液供給装置１００から貯留制御信号Ｈを受信して薬液の貯留を停止するのにあわせて、透析液供給装置１００は、ＲＯ水生成装置５００から供給されるＲＯ水を用いて、アルカリ性洗浄液１６２（「次亜系」）が貯留されていた透析液の移動経路を、６０分の間、下洗い（「水洗」）する。
【００８３】
透析排水処理装置４００において、中和液の排水ライン３００への供給の開始および停止は、通信部（透析排水処理装置通信部）４２４が貯留動作信号Ｉを受信することで行われる。
透析排水処理装置４００は、透析液供給装置１００から貯留動作信号Ｉを受信して、透析監視装置２００における薬液の貯留の停止に伴う「水洗」の開始にあわせて、中和液（酸剤４３１）の排水ライン３００への供給を再び開始する。
【００８４】
透析排水処理装置４００は、透析液の移動経路に貯留されていたアルカリ性洗浄液１６２を含む排液を中和するために必要な一定量の中和液（酸剤４３１）を供給し、暫く、同量による供給を継続する。
そして、透析排水処理装置４００は、供給する中和液（酸剤４３１）の量を段階的に減らしていき、最終的に供給量をゼロとする。
【００８５】
透析液供給装置１００は、「水洗」の終了後、次の２０分の間に、ＲＯ水を透析液で置換する（「液置換」）。
そして、次の血液透析（「透析」）が再開される。
【００８６】
本発明の一実施形態に係る透析排水処理システム１において、薬液の透析液供給路Ｃへの導入を開始する「薬液導入タイミング」に対応するのは、本洗浄パターンの「次亜系」による洗浄の４０分間の開始点であり、図上、Ｔ３−１で示す。
また、本発明の一実施形態に係る透析排水処理システム１において、薬液の透析液供給路Ｃへの導入を停止する「薬液停止タイミング」に対応するのは、本洗浄パターンの「次亜系」による洗浄の４０分間の終了点であり、図上、Ｔ３−２で示す。
【００８７】
＜４．２．スケール除去（兼除菌）＞
「スケール除去」および「除菌」の説明は、上述の通りであるので省略する。
本洗浄パターンの最初の「透析」および「水洗」の説明は、上述の通りであるので省略する。
【００８８】
次に、透析液供給装置１００は、酸性洗浄液１６１である過酢酸（「過酢酸」）を用いて、４０分の間、透析液の移動経路を洗浄する。以降、酸性洗浄液１６１（「過酢酸」）による洗浄は、「スケール除去（兼除菌）」を指す。
【００８９】
透析排水処理装置４００は、この酸性洗浄液１６１（「過酢酸」）による洗浄の開始にあわせて、中和液（アルカリ剤４３２）の排水ライン３００への供給を開始する。
また、透析排水処理装置４００は、供給する中和液（アルカリ剤４３２）の量を段階的に増やして、透析液の移動経路を洗浄した酸性洗浄液１６１を含む排液を中和するために必要な一定量にまで達した後、暫く、同量による供給を継続する。
そして、透析排水処理装置４００は、酸性洗浄液１６１（「過酢酸」）による洗浄の終了にあわせて、供給する中和液（アルカリ剤４３２）の量をゼロとする。
【００９０】
さらに、次の血液透析が再開されるまでの間、透析液の移動経路に、酸性洗浄液１６１（「過酢酸」）が貯留される（「貯留」）。
ここで、透析監視装置２００において、薬液の貯留の開始および停止は、上述のように、通信部（透析監視装置通信部）２２３が貯留制御信号Ｈを受信することで行われる。
【００９１】
また、血液透析の再開に先立って、透析監視装置２００が、透析液供給装置１００から貯留制御信号Ｈを受信して薬液の貯留を停止するのにあわせて、透析液供給装置１００は、ＲＯ水生成装置５００から供給されるＲＯ水を用いて、酸性洗浄液１６１（「過酢酸」）が貯留されていた透析液の移動経路を、６０分の間、下洗い（「水洗」）する。
【００９２】
透析排水処理装置４００において、中和液の排水ライン３００への供給の開始および停止は、上述のように、通信部（透析排水処理装置通信部）４２４が貯留動作信号Ｉを受信することで行われる。
透析排水処理装置４００は、透析液供給装置１００から貯留動作信号Ｉを受信して、透析監視装置２００における薬液の貯留の停止に伴う「水洗」の開始にあわせて、中和液（アルカリ剤４３２）の排水ライン３００への供給を再び開始する。
【００９３】
透析排水処理装置４００は、透析液の移動経路に貯留されていた酸性洗浄液１６１を含む排液を中和するために必要な一定量の中和液（アルカリ剤４３２）を供給し、暫く、同量による供給を継続する。
そして、透析排水処理装置４００は、供給する中和液（アルカリ剤４３２）の量を段階的に減らしていき、最終的に供給量をゼロとする。
【００９４】
透析液供給装置１００は、「水洗」の終了後、次の２０分の間に、ＲＯ水を透析液で置換する（「液置換」）。
そして、次の血液透析（「透析」）が再開される。
【００９５】
本発明の一実施形態に係る透析排水処理システム１において、薬液の透析液供給路Ｃへの導入を開始する「薬液導入タイミング」に対応するのは、本洗浄パターンの「過酢酸」による洗浄の４０分間の開始点であり、図上、Ｔ４−１で示す。
また、本発明の一実施形態に係る透析排水処理システム１において、薬液の透析液供給路Ｃへの導入を停止する「薬液停止タイミング」に対応するのは、本洗浄パターンの「過酢酸」による洗浄の４０分間の終了点であり、図上、Ｔ４−２で示す。
【００９６】
＜５．排水ライン末端における水素イオン指数（ｐＨ）の経時変化（参考例）＞
透析液供給装置による薬液洗浄開始以降の排水ライン末端における水素イオン指数（ｐＨ）の経時変化を示す参考図である図５を用いて、薬液を含む排液を収集する排水ラインの末端における水素イオン指数（ｐＨ）の経時変化（参考例）について説明する。
【００９７】
図示する折れ線グラフは、薬液が透析液供給路に導入される、洗浄開始のタイミング（「薬液導入タイミング」）から分単位の経過時間を横軸とし、排水ラインの末端における水素イオン指数（ｐＨ）の変化を縦軸とする。
【００９８】
＜５．１．次亜塩素酸ナトリウムによる洗浄（次亜洗浄）＞
この折れ線グラフ上で、透析液供給路に導入される薬液が次亜塩素酸ナトリウム（「次亜」）であるときの水素イオン指数（ｐＨ）の経時変化を、三角形のプロット（マーカー）付きの折れ線で示す。
図示するように、排水ラインの末端における水素イオン指数（ｐＨ）は、薬液導入タイミングから最初の３分間は、上述の透析排水基準に定められた、５を超え９未満の範囲に留まっている。
しかしながら、薬液導入タイミングから３分を経過して以降、水素イオン指数（ｐＨ）は、急激にアルカリ側に傾き、１０に達している。
【００９９】
＜５．２．希塩酸による洗浄（塩酸洗浄）＞
この折れ線グラフ上で、透析液供給路に導入される薬液が希塩酸（「塩酸」）であるときの水素イオン指数（ｐＨ）の経時変化を、四角形のプロット（マーカー）付きの折れ線で示す。
図示するように、排水ラインの末端における水素イオン指数（ｐＨ）は、薬液導入タイミングから最初の３分間は、透析排水基準に定められた、５を超え９未満の範囲に留まっている。
しかしながら、薬液導入タイミングから３分を経過して以降、水素イオン指数（ｐＨ）は、急激に酸側に傾き、２付近に達している。
【０１００】
＜６．透析排水処理装置を用いて薬液を含む排液を排水ライン上で中和する場合の排水ライン末端における水素イオン指数（ｐＨ）の経時変化（実施例）＞
本発明の一実施形態に係る透析排水処理システムを構成する透析排水処理装置が透析液供給装置による薬液洗浄開始と同時に中和液の供給を開始した際の排水ライン末端における水素イオン指数（ｐＨ）の経時変化を示す図６を用いて、本発明の一実施形態である透析排水処理システム１の透析排水処理装置４００を用いて薬液を含む排液を排水ライン３００上で中和する場合の排水ライン３００の末端における水素イオン指数（ｐＨ）の経時変化（実施例）について説明する。
【０１０１】
図６に示す折れ線グラフの縦軸および横軸は、図４に示す折れ線グラフの縦軸および横軸と共通するため、説明を省略する。
【０１０２】
本実施例では、薬液として酸性洗浄液１６１である希塩酸（「塩酸」）を用いている。
図示するように、排水ライン３００の末端における水素イオン指数（ｐＨ）は、薬液導入タイミングと同時に排水ライン３００に供給された中和液（アルカリ剤４３２）によって、一旦、急激に酸側からアルカリ側に傾いた後、８付近で暫く変動する。
【０１０３】
そして、薬液導入タイミングから５分を経過して以降、排水ライン３００の末端における水素イオン指数（ｐＨ）は、緩やかに酸側に傾きつつ次第に安定し、７を下回る程度の透析排水基準の範囲内で推移する。
【０１０４】
＜７．透析排水処理装置による排水の中和処理の有無が排水ライン末端における水素イオン指数（ｐＨ）の経時変化に与える影響（実施例）＞
本発明の一実施形態に係る透析排水処理システムを構成する透析液供給装置による薬液洗浄において、透析排水処理装置による排水の中和処理の有無が排水ライン末端における水素イオン指数（ｐＨ）の経時変化に与える影響を示す図７Ａおよび図７Ｂを用いて、排水ライン末端における水素イオン指数（ｐＨ）の経時変化（実施例）を、薬液を含む排液を排水ライン上で中和する中和処理を行う場合と行わない場合とを比較して説明する。
【０１０５】
図７Ａおよび図７Ｂに示す折れ線グラフは、薬液が透析液供給路に導入されて以降の分単位の経過時間を横軸とし、排水ラインの末端における水素イオン指数（ｐＨ）の変化を縦軸とする。
なお、横軸に示す分単位の経過時間のゼロは、洗浄開始のタイミング（「薬液導入タイミング」）を示すものでなく、洗浄開始以降の任意の時間を起点として示すものである。
【０１０６】
＜７．１．酸性洗浄液を使用した薬液洗浄における中和処理の有無の比較＞
本実施例では、薬液として酸性洗浄液１６１である塩酸を用いている。
図７Ａに示すように、排水ライン３００の末端における水素イオン指数（ｐＨ）は、排水ライン３００に中和液（アルカリ剤４３２）が供給されず中和処理が行われないとき（「中和処理なし」）、変動を繰り返しつつ幾度か５を下回り、透析排水基準の下限を逸脱している。
【０１０７】
これに対し、排水ライン３００に中和液（アルカリ剤４３２）が供給されて中和処理が行われるとき（「中和処理あり」）、排水ライン３００の末端における水素イオン指数（ｐＨ）は、７と８の間で安定して推移している。
【０１０８】
＜７．２．アルカリ性洗浄液を使用した薬液洗浄における中和処理の有無の比較＞
本実施例では、薬液としてアルカリ性洗浄液１６２である次亜塩素酸ナトリウムを用いている。
図７Ｂに示すように、排水ライン３００の末端における水素イオン指数（ｐＨ）は、排水ライン３００に中和液（酸剤４３１）が供給されず中和処理が行われないとき（「中和処理なし」）、変動を繰り返しつつ９を上回り、透析排水基準の上限を逸脱している。
【０１０９】
これに対し、排水ライン３００に中和液（酸剤４３１）が供給されて中和処理が行われるとき（「中和処理あり」）、排水ライン３００の末端における水素イオン指数（ｐＨ）は、６と８の間で安定して推移している。
【０１１０】
このように、本発明の一実施形態に係る透析排水処理システム１を構成する透析排水処理装置４００によると、薬液を含む排液が排出される排水ライン３００の末端における水素イオン指数（ｐＨ）の経時変化は、中和液を供給して中和処理が行われるとき、中和処理が行われないときに対し、５を超え９未満に収まる範囲に導かれ、透析排水基準を満たす。
【０１１１】
＜８．透析排水処理装置による中和液の排水ラインへの供給タイミング＞
透析排水処理装置４００が、排水ライン３００に中和液を供給するタイミングは、上記の図６に示す例では、薬液導入タイミングと、単に同時に設定されている。
しかし、薬液が排液に未だ含まれないタイミングで中和液を供給すると、中和液を無駄に消費するばかりでなく、中和液の水素イオン指数（ｐＨ）によっては、中和液により、排液が透析排水基準の範囲から逸脱するおそれもある。
そこで、透析排水処理装置４００が排水ライン３００に中和液を供給するタイミング（以下、「中和液供給タイミング」と呼ぶ。）は、例えば、以下のように設定することができる。
【０１１２】
＜８．１．薬液導入タイミングから中和液供給タイミングまでの設定時間＞
まず、排水ライン３００上で、薬液を含む排液が透析液供給装置１００から透析監視装置２００を経由して排水ライン３００に排出される位置（以下、「排液排出位置」と呼ぶ。）と、中和液が透析排水処理装置４００から排水ライン３００に供給される位置（以下、「中和液供給位置」と呼ぶ。）の位置関係を把握する。
そして、薬液が透析液供給路Ｃに導入されてから、薬液を含む排液が排水ライン３００に排出されるまでの時間を、「排出所要時間」とする。
また、排水ライン３００に排出された薬液を含む排液と、排水ライン３００に供給された中和液とが合流するまでの時間を、「合流所要時間」とする。
【０１１３】
＜８．１．１．排液排出位置と中和液供給位置とが一致する場合＞
排液排出位置と中和液供給位置とが一致する場合、合流所要時間はゼロとなる。
よって、透析排水処理装置４００は、薬液導入タイミングから、排出所要時間に相当する設定時間を空けて、中和液を排水ライン３００に供給する。
【０１１４】
＜８．１．２．中和液供給位置が排液排出位置よりも排水ラインの上流にある場合＞
中和液供給位置が排液排出位置よりも排水ライン３００の上流にある場合、排水ライン３００に供給された中和液が排液排出位置に到達するまでの時間が、合流所要時間となる。
よって、排出所要時間の終了と合流所要時間の終了とが一致するように、薬液導入タイミングから一定の設定時間（ゼロ時間を含む。）を空けて、透析排水処理装置４００は、中和液を排水ライン３００に供給する。
つまり、薬液導入タイミング以降のみならず、薬液導入タイミングと同時に、または薬液導入タイミング以前から、透析排水処理装置４００が、中和液を排水ライン３００に供給する場合もあり得る。
【０１１５】
＜８．１．３．中和液供給位置が排液排出位置よりも排水ラインの下流にある場合＞
中和液供給位置が排液排出位置よりも排水ライン３００の下流にある場合、排水ライン３００に排出された薬液を含む排液が中和液供給位置に到達するまでの時間が、合流所要時間となる。
よって、透析排水処理装置４００は、薬液導入タイミングから、排出所要時間と合流所要時間との和に相当する設定時間を空けて、中和液を排水ライン３００に供給する。
【０１１６】
＜９．透析排水処理装置による中和液の排水ラインへの停止タイミング＞
透析排水処理装置４００が、排水ライン３００に中和液を供給するのを一旦開始してから停止するタイミング（以下、「中和液停止タイミング」と呼ぶ。）は、例えば、以下のように設定することができる。
すなわち、まず、上述の予め設定された設定時間の経過後から、引き続き、透析液供給装置１００が薬液を透析液供給路Ｃに導入する時間を把握する。
そして、上述の予め設定された設定時間の経過後から、この把握した時間に対応する一定の時間間隔を更に空けて、透析排水処理装置４００に対して、中和液停止タイミングを設定する。
【０１１７】
＜１０．通信部を用いた中和液の排水ラインへの供給の開始および停止の制御＞
透析液供給装置１００が通信部１５４を有し、透析排水処理装置４００が通信部４２４を有する構成とすることによって、透析液供給装置１００は透析液供給路Ｃへの薬液の導入の開始および停止を、透析排水処理装置４００は排水ライン３００への中和液の供給の開始および停止を、相互に制御することができる。
【０１１８】
これにより、薬液の透析液供給路Ｃへの導入および中和液の排水ライン３００への供給について、特定の開始時間および停止時間を事前に設定することを要しないため、設定済みの設定時間に基づいて、自動的かつ任意に、透析排水処理装置４００は中和液の排水ライン３００への供給の開始および停止を実行することができ、透析排水処理装置４００は薬液の透析液供給路Ｃへの導入の開始および停止を実行することができる。
【０１１９】
＜１１．透析排水処理装置および透析液供給装置の制御手法＞
透析排水処理装置４００による中和液の排水ライン３００への供給の開始および停止、ならびに、透析液供給装置１００による透析液供給路Ｃへの薬液の導入の開始および停止は、以下の制御手法によって、実行することができる。
【０１２０】
＜１１．１．タイムテーブルに基づく制御＞
薬液調製部１３０および薬液送出部１４０に対する動作指令のプログラムを実行するためのタイムテーブル、および、中和液送出部４１０に対する動作指令のプログラムを実行するためのタイムテーブルを、薬液導入タイミングから中和液供給タイミングまでの上述の予め設定された設定時間に基づいて作成する。
また、上記のタイムテーブルを、予め設定された設定時間の経過後から、薬液が透析液供給路Ｃに導入されていた時間に対応する一定の時間間隔を更に空けて、中和液停止タイミングを設定することにより作成する。
【０１２１】
そして、各タイムテーブルを、透析液供給装置１００のメモリ１５２、および、透析排水処理装置４００のメモリ４２２に記憶させる。
さらに、上記の各タイムテーブルと、透析液供給装置１００および透析排水処理装置４００のシステム時刻ならびに其々のタイマー１５３およびタイマー４２３が計測した経過時間とに基づいて、各動作指令のプログラムを実行する。
【０１２２】
＜１１．２．洗浄動作信号の送信および受信による制御＞
通信部（透析液供給装置通信部）１５４が、薬液の透析液供給路Ｃへの導入の開始および停止を通知する洗浄動作信号Ｆを、通信部（透析排水処理装置通信部）４２４に送信する。
そして、透析排水処理装置４００が、この洗浄動作信号Ｆに応じて、中和液の排水ライン３００への供給の開始および停止を制御する。
【０１２３】
＜１１．３．中和動作信号の送信および受信による制御＞
通信部（透析排水処理装置通信部）４２４が、中和液の排水ライン３００への供給の開始および停止を通知する中和動作信号Ｇを、通信部（透析液供給装置通信部）１５４に送信する。
そして、透析排水処理装置４００が、この中和動作信号Ｇに応じて、薬液の透析液供給路Ｃへの導入の開始および停止を制御する。
【０１２４】
＜１２．変形例＞
以上、本発明を実施するための形態について説明したが、本発明は上記に限定されるものではない。
【０１２５】
例えば、上記実施形態において、透析監視装置は、制御部を備え、制御部が有する通信部（透析監視装置通信部）を通じて、透析液供給装置から貯留制御信号を受信することで、薬液等の貯留の開始および停止を制御していたが、制御部の代わりに圧力スイッチを備えることにより、透析液供給装置からの送液の開始および停止に連動して、薬液等の貯留の開始および停止が行われる構成としてもよい。
【符号の説明】
【０１２６】
１    …  透析排水処理システム
１００…  透析液供給装置
１１０…  透析液調製部
１２０…  透析液送出部
１３０…  薬液調製部
１４０…  薬液送出部
１５０…  制御部
１５１…  ＣＰＵ
１５２…  メモリ
１５３…  タイマー
１５４…  通信部（透析液供給装置通信部）
１６０…  薬液タンク
１６１…  酸性洗浄液
１６２…  アルカリ性洗浄液
２００…  透析監視装置
２１０…  電磁弁機構
２２０…  制御部
２２１…  ＣＰＵ
２２２…  メモリ
２２３…  通信部（透析監視装置通信部）
２３０…  ダイアライザー
３００…  排水ライン
４００…  透析排水処理装置
４１０…  中和液送出部
４２０…  制御部
４２１…  ＣＰＵ
４２２…  メモリ
４２３…  タイマー
４２４…  通信部（透析排水処理装置通信部）
４３０…  中和液タンク
４３１…  酸剤
４３２…  アルカリ剤
５００…  ＲＯ水生成装置
６００…  透析液溶解装置
６０１…  Ａ剤
６０２…  Ｂ剤
Ａ    …  ＲＯ水供給路
Ｂ    …  透析原液供給路
Ｃ    …  透析液供給路
Ｄ    …  薬液供給路
Ｅ    …  中和液供給路
Ｆ    …  洗浄動作信号
Ｇ    …  中和動作信号
Ｈ    …  貯留制御信号
Ｉ    …  貯留動作信号
Ｐ    …  透析患者
Ｔ１−１，Ｔ２−１，Ｔ２−３，Ｔ３−１，Ｔ４−１…  薬液導入タイミング
Ｔ１−２，Ｔ２−２，Ｔ２−４，Ｔ３−２，Ｔ４−２…  薬液停止タイミング
【図１】
0006947442.tif 000002
【図２】
0006947442.tif 000003
【図３】
0006947442.tif 000004
【図４】
0006947442.tif 000005
【図５】
0006947442.tif 000006
【図６】
0006947442.tif 000007
【図７Ａ】
0006947442.tif 000008
【図７Ｂ】
0006947442.tif 000009